(57)【特許請求の範囲】
【請求項１】
ノズル及びこのノズルを通して吸引力を発生する吸引ポンプを備えたハウジングと、上記ノズルに結合されて上記吸引力を肌に作用させて肌から皮脂や汚れを取り除くアタッチメントとで構成され、上記吸引ポンプのポンプ特性を変化させてアッタチメントを通じて肌に作用する吸引力を調節する調節器が設けられ、
上記調節手段は、上記ノズルから外気開放端に延出する分岐吸引路と、ハウジング外面に設けられて上記吸引ポンプの作動・停止を行うスイッチハンドルとで構成され、上記スイッチハンドルがシャッターと連動し、スイッチハンドルが吸引ポンプを作動させるＯＮ位置の時にシャッターが上記外気開放端を閉じ、スイッチハンドルが吸引ポンプを停止させるＯＦＦ位置の時にシャッターが外気開放端を開くようになったことを特徴とする美顔器。
【請求項２】
ノズル及びこのノズルを通して吸引力を発生する吸引ポンプを備えたハウジングと、上記ノズルに結合されて上記吸引力を肌に作用させて肌から皮脂や汚れを取り除くアタッチメントとで構成され、上記吸引ポンプのポンプ特性を変化させてアッタチメントを通じて肌に作用する吸引力を調節する調節器が設けられ、上記調節手段は、上記ノズルから外気開放端に延出する収縮可能な分岐吸引路と、上記ノズルをハウジングに対してフロート支持する機構とで構成され、この機構によってアタッチメントを肌より離れさせることを可能とする伸張位置と、アタッチメントを肌に押し付けることを可能とする後退位置との間でノズルが移動自在となり、後退位置でのノズルが上記収縮可能な分岐吸引路を閉塞し、伸張位置でのノズルが収縮可能な分岐吸引路を外気に開放することを特徴とする美顔器。
【請求項３】
ノズル及びこのノズルを通して吸引力を発生する吸引ポンプを備えたハウジングと、上記ノズルに結合されて上記吸引力を肌に作用させて肌から皮脂や汚れを取り除くアタッチメントとで構成され、上記吸引ポンプのポンプ特性を変化させてアッタチメントを通じて肌に作用する吸引力を調節する調節器が設けられ、
上記吸引ポンプは吸引力を発生させる主ポンプ室を有し、上記調節手段は、主ポンプ室と連通する副室と、この副室の容積を変化させるアクチュエータとで構成され、
上記の副室は上記吸引ポンプから閉塞端に延出する可撓性の管で構成され、上記のアクチュエータがこの可撓性の管の一部に接触してこれを押し付けて副室の体積を変化させることを特徴とする美顔器。
【請求項４】
請求項３に記載の美顔器において、上記ノズルに近接して肌に向けてミスト流を与える加湿器が設けられ、この加湿器は、狭窄部を有するスプレーノズルと、狭窄部へ水を供給するための水タンクと、吸引ポンプの排気口に排気路を介して連通する外排気口を選択的に開閉するスイッチと、排気口と外排気口との間の排気路から分岐してスプレーノズルに至る分岐排気路とで構成され、上記分岐排気路はスイッチによる外排気口の閉塞に応答して、スプレーノズルに加圧空気を導入して狭窄部を通る空気ジェットを与え、これにより水を空気ジェットに吸い上げてミスト流を発生させることを特徴とする美顔器。
【発明の詳細な説明】
【０００１】
【発明の属する技術分野】
本発明は吸引により顔肌より皮脂や汚れ等の残骸物を取り除く美顔器、更に詳しくは吸引力を調整することが可能な美顔用に関するものである。
【０００２】
【従来の技術及び発明が解決しようとする課題】
実開平５−３７２３４号公報に開示されているように、従来の美顔器は吸引力を発生する吸引ポンプと、吸引力を肌に作用させて皮脂等の残骸物を取り除くために肌に当てられるアッタチメントで構成される。肌の柔らかい部分に長い時間に亘って吸引力を作用させると、毛細血管を破る程度に肌が大きく膨らむ結果、痛みや更には紫斑等のあざを引き起こす可能性がある。
【０００３】
【課題を解決するための手段】
本発明は上記の問題を解消するものである。従って、本発明の主な目的は、肌へ作用する吸引力を調節できる、特に使用者が美顔器の動作を停止させ用とした場合、直ぐに吸引力を最小とすることができて、顔肌からのアタッチメントの取り外しを簡単とし、痛みや紫斑を生ずる危険性を少なくした美顔器を提供することである。
【０００４】
本発明に係る美顔器は、ノズル及びこのノズルを介して吸引力を発生させる吸引ポンプを有し、このノズルに管状アッタチメントが取り付けられて顔肌に吸引力を作用させて顔肌より皮脂や汚れ等の残骸物を取り除く。本発明の特徴とするところは、吸引ポンプのポンプ特性、例えば、ポンプ負荷やポンプ能力を変化させてアッタチメントを通じて肌に作用する吸引力を調整する調整器を設けた点に加えて、ハウジング１０外面に設けたスイッチハンドル１８Ａにシャッター１９を連動させて、スイッチハンドルが吸引ポンプ２０Ａを作動させるＯＮ位置の時にこのシャッターによって外気開放端５１Ａを閉じ、スイッチハンドルが吸引ポンプを停止させるＯＦＦ位置の時に外気開放端を開くように構成した点にある。これにより、スイッチハンドルをＯＦＦにすると直ちにこの外気開放端を通して顔肌への吸引力を解放することができて、顔肌から安全にアッタチメントを外すことができる。そうでなければ、スイッチハンドルをＯＦＦとした後でも、吸引力の肌への作用が継続することになって肌からのアタッチメントを外すことが難しくなるものである。
【０００５】
本発明の一実施態様では、ノズル３０から外気開放端５１に延出する分岐吸引路５０によって調整器が構成される。外気開放端５１はハウジング１０を把持する使用者の手の指によってアクセス可能でこれによって選択的に開閉される。このため、ハウジングを把持する使用者の指、すなわち、親指をこの外気開放端から単に離すことで、分岐吸引路を開放させることができる。従って、使用者は吸引力を簡単に最小とすることができて、使用者の意図に即座に応答して吸引力の停止を容易に行うことができる。更に、この外気開放端は単に親指で押さえるだけで閉じることができるため、顔肌の広い範囲に亘ってアッタチメントを移動させながら吸引力を断続的に作用させることが簡単であり、美顔器の操作性が向上できる。
【０００６】
ハウジング１０には使用者の指でアクセス可能なフレキシブルなカバー５４が設けられても良い。このカバー５４が上記外気開放端５１を閉塞する位置と外気開放端を開く位置との間で移動自在となるものであって、このカバーを使用することにより、外気開放端を異物による詰まりから保護できる。
【０００８】
更に、本発明では上記の調節器を、ノズル３０Ｂから外気開放端５１Ｂに延出する収縮可能な分岐吸引路５０Ｂと、ノズル３０Ｂをハウジング１０Ｂに対してフロート支持する機構とで構成することを特徴としている。この機構によってアタッチメント４０Ｂを肌より離れさせることを可能とする伸張位置と、アタッチメントを肌に押し付けることを可能とする後退位置との間でノズル３０Ｂが移動自在となる。ノズルは後退位置で分岐吸引路５０Ｂを閉塞し、伸張位置で分岐吸引路を外気に開放させる。アッタチメントを顔肌に押し付ける結果としてノズルが後退位置に移行して分岐吸引路を閉じて吸引力を肌に作用させることができる。使用者が顔肌からハウジングを離せば、アッタチメントはこの時点で吸引力によって肌にくっ付いているため、ノズルが伸張位置をとることになる。ノズルが伸張位置に移行すれば直ちに、分岐吸引路が開いて吸引力を解放し、アッタッチメントを肌から容易に外すことができるものであり、アッタチメントを安全且つ速やかに肌から離すことができる。
【０００９】
本発明の別の実施態様では、ノズル３０Ｃから外気開放端５１Ｃに延出して分岐吸引路５０Ｃを形成する可撓性の管５６と、この可撓性の管５６の一部に接触可能でこれを押し付けて分岐吸引路を可変量で閉塞するアクチュエータ６０とで調整器を構成する。これにより、肌に作用している吸引力を最大から最小に調節することができて、最適な美顔処理や顔からの安全なアッタチメントの取り外しが行える。
【００１０】
これに関連して、このアクチュエータ６０Ｃは長手方向軸を有する長尺のハウジング１０Ｃに装備されるものであり、このアクチュエータ６０Ｃはハウジング外面に露出してハウジングを把持する使用者の指にて操作可能な一対のボタン部６１を有する。一対のボタン部は上記長手方向軸の両側に配置されていて、左利きや右利きの使用者の両方ともがアクチュエータを容易に操作できて吸引力の調整がおこなえる。
【００１１】
本発明は、更に、吸引ポンプ２０Ｄが吸引力を発生させる主ポンプ室２４Ｄと、これに連通する副室９０を備えていて、副室の容積を変化させるアクチュエータ９４によって調整器が形成されることを特徴とする。副室の容積を変化させることで肌への吸引力を可変調整できて最適な美顔処理ができる。この副室はポンプ室から閉塞端に向けて延出する可撓性の管９１で形成しても良い。アクチュエータ９４はこの可撓性管９１の一部へ接触可能に配置され、これを押し付けて副室の容積を変える。
【００１２】
本発明の更に他の実施態様では、美顔器には、ノズル近傍に加湿器７０を追加し、ミスト流を顔肌に当てることで美顔効果を高めるようにしている。この加湿器は吸引ポンプ２０Ｄからの排気を有効利用する。このため、吸引ポンプの排気口２８Ｄから外気に開口した外排気口８１に延出する排気路８０が設けられる。加湿器は、狭窄部７２を有する噴霧ノズル７１と、狭窄部へ水を供給する水タンク７４と、外排気口８１を選択的に開閉するスイッチ８２と、外排気口と排気口との間の排気路から噴霧ノズル７１に分岐する分岐排気路８５とで構成される。スイッチ８２によって外排気口８１を閉じると、分岐排気路８５が有効とされて加圧空気を噴霧ノズル７１内に導入して狭窄部７２を通過する空気ジェットを形成する。これにより、狭窄部での水が空気ジェットに吸引されてミスト流を発生させる。従って、本発明の更なる目的は、ミストを発生させるために吸引ポンプを有効利用し、ミストの働きによって顔肌より皮脂や汚れ等の残骸物を取り除くことを向上させることができる美顔器を提供することである。
【００１３】
【発明の実施の形態】
第1の実施態様＜図１〜３＞
図１と図２は本発明の第1の実施態様に係る美顔器を示す。この美顔器は使用者が把持する形のハウジングすると、肌から汚れ、皮脂等の残骸物を取り除くために顔肌を吸引するために使用するアッタチメント４０とを備える。ハウジング１０は長手方向軸を有する長尺形状であり、ダイアフラムポンプ２０、ポンプを駆動するモータ１４、モータに電力を与える電池１６を長手方向軸に沿って並べて内蔵する。ハウジング１０の上端部には凹所１２を有するヘッド１１が形成され、凹所の底を通してノズル３０が突出し、ノズルの上端にアッタチメント４０が着脱自在となる。ノズル３０は下端のベースでハウジングに固定され、ハウジングの長手方向軸に沿って延出する貫通孔３１を有する。ハウジング上端にはキャップ１が設けられてアッタチメント４０とノズル３０をカバーする。
ポンプ２０はノズル３０の下端に結合されるもので、ポンプケース２１と往復子２２とで構成され、往復子２２がダイアフラム２３を介してポンプケースに結合されてこれらの間にポンプ室２４を形成する。往復子２２は偏心カム２５を介してモータ１４の出力軸１５に結合され、往復子２２がモータにて往復動することによって、逆止弁（図示せず）を持つ吸入口２６からポンプ室２４へ外気を引き込み、逆止弁（図示せず）を持つ排気口２８を通して吐き出す。吸入口２６はノズル３０の貫通孔３１に連通し、アタッチメント４０を介して吸引力を顔肌に作用させることにより、図３に示すような、美顔処理を行う。アタッチメント４０はその軸孔４２の両端に異なる形状の環状エッジを有し、一方は単一の環状エッジで、他方は２重の環状エッジとなる。アタッチメント両端の環状エッジのいずれも美顔のために顔肌に押し付けられて使用することができる。
【００１４】
２重の環状エッジ４５、４６を顔肌に接触させた時の美顔器の動作を説明する。肌に長い間吸引力が作用して痛みやあざを起こすことの無いように、アッタチメントを肌に対してタッピングさせて環状エッジを断続的に肌に接触させるようにすることが望ましい。更に、このタッピング時は、環状エッジがその周縁の一部が先ず肌から離れた後に残りの部分が肌から離れるようにすることが望ましい。このことは、肌からアタッチメントを離す際にハウジング１０を持つ手首をひねることで容易に行える。図３に示すように、状エッジ４５，４６が肌に接触している間は、エッジで囲まれた肌の部分Ｓがアタッチメント４０内に吸引されて膨出部となり、膨出部のふもとが内側の環状エッジ４６に押し当てられる。従って、肌の部分Ｓは、別々の２箇所で急激な変位がもたらされる。一所は外側の環状エッジ４５の近傍で、もう一方は内側の環状エッジ４６の近傍である。これらの箇所は、皮脂や同様の残骸物が毛穴から最も良く搾り出される箇所である。真空により肌から引き出された残骸物は環状エッジ近傍のアッタチメントの内壁に付着する。ノズル３０の前端はフィルター３２で覆われて残骸物がポンプ２０へ侵入するのが防止される。
【００１５】
他方の比較的小さな開口の環状エッジ４７はタッピングなしで使用されることができ、小鼻で肌に沿ってエッジをすべらせる用にして使用される。環状エッジ４７が楕円形状であるため、アタッチメント４０は楕円の長軸に沿って滑らすよりも短軸に沿って滑らすほうが容易である。即ち、短軸に沿って滑らせる場合は膨出肌部が長軸に沿って滑らすよりも小さな抵抗を示すことになる。環状エッジ４７を肌に沿って滑らす結果、毛穴から搾り出された残骸物はエッジによってうまく掻き集められてここに捕捉される。このように、楕円形状の後端環状エッジ４７はすべり動作を容易としながらも、効果的に残骸物を除去するために大きな処理領域を確保するものである。アタッチメント４０は、中央の外方に突出するリング４４を掴んでノズルへの着脱が行える。
【００１６】
図２に示すように、ノズル３０の根元部からは、ノズルとアッタチメントを通って使用者の顔肌に至る主吸引路と並列に、外気開放端５１に至る分岐吸引路５０が半径方向に沿って延出する。分岐吸引路５０の大部分はハウジングに固定したインサート５３にて形成される。外気開放端５１はハウジング１０の外面に開口して、ハウジング１０を把持する使用者の指、すなわち、親指によって容易にアクセスできる。また、この外気開放端５１はハウジングの外面に行く程直径が大きくなる丸孔として形成されて使用者の指で閉じることができるものである。更に、外気開放端５１は突縁５２に囲まれていて使用者が突縁を手探りすることで、容易に外気開放端５１が探し出される。
【００１７】
美顔処理を行う場合、使用者は外気開放端５１を指で塞いでノズル３０とアタッチメント４０を介して吸引力を作用させる。美顔処理中に使用者が痛みや不快感を感じた場合は、単に、指を外気開放端５１から外してノズルを外気に連通させることで、肌に作用している吸引力を直ちに開放することができる。この結果、アタッチメント内に吸引されている肌の一部への吸引力が無くなってアッタッチメント４０を容易に外すことができるものであり、アタッチメントを肌から安全に離すことができる。このように、単に外気開放端５１を開閉することで吸引力が顔肌に作用するのを有効・無効にすることができるため、ポンプを頻繁にオンオフすることなしに、広い範囲に亘って吸引力を断続的に作用させて肌の処理を行うことができる。更に、外気開放端５１への指の押圧力を変える、すなわち、外気開放端を通して逃げる負圧の量を変化させることで、吸引力を最適な値に調節できる。
【００１８】
図４で示す美顔器の変更例は、外気開放端５１用にフレキシブルなカバー５４を設けたこと以外は、第1の実施態様と同一である。こカバー５４は、ハウジング外面に露出して使用者の指にて触れることができるもので、通常は外気開放端５１を開いたままの位置に保たれ、指で押されると弾性的に変形して外気開放端５１を閉じる。通常位置では、外気開放端５１がハウジング１０内部の大容積部分に連通しており、ポンプで発生する負圧を逃がすようになっている。このカバー５４を設けたことにより、外気開放端５１が異物で塞がれることが防止でき、信頼性の高い安全な美顔器の動作が得られる。その他の構成は第1の実施態様と同一であることから、同一の部材は同一の符号で示す。
【００１９】
第２の実施態様＜図５ａ、５ｂ＞
図５ａと５ｂは、本発明の第２の実施態様に係る美顔器を示す。この美顔器は第1の実施態様と基本的に同一であるが、スイッチハンドル１８Ａの上端にシャッター部１９を設けて分岐吸引路５０Ａの外気開放端５１Ａを選択的に開閉するようにした点が異なる。同様の部材は同様の番号に「Ａ」を付して示す。スイッチハンドル１８Ａは、モータ１４Ａを非通電としてポンプ２０Ａを停止させるＯＦＦ位置（図５ａ）と、モータ１４Ａに通電してポンプ２０Ａを作動させるＯＮ位置（図５ｂ）との間でスライド自在である。シャッター部１９はスイッチハンドル１８Ａと一体物として形成されて、スイッチハンドル１８ＡがＯＮ位置のときに外気開放端５１Ａを閉じ、ＯＦＦ位置のときに外気開放端５１Ａを開く。このため、スイッチハンドル１８ＡをＯＦＦ位置に操作すると直ぐに、肌の一部にアッタチメントを介して作用している負圧を解放することができて、アタッチメント４０Ａを肌から簡単に離すことができる。
【００２０】
第３の実施態様＜図６ａ、６ｂ＞
図６ａと６ｂは、本発明の第３の実施態様に係る美顔器を示す。この美顔器は第1の実施態様と基本的に同一であるが、ノズル３０Ｂがハウジング１０Ｂにフロート支持されてノズル３０Ｂとベース３４との間に収縮可能な分岐吸引路５０Ｂを形成している点が異なる。同様の部材は同様の番号に「Ｂ」を付して示す。ベース３４はポンプ２０Ｂの上でハウジング１０Ｂに固定され、可撓性を有するベローズ３５によってノズル３０Ｂと結合することで、ノズルが図６ｂの後退位置と図６ａの伸張位置との間で軸方向に沿って移動自在となる。外力を受けない場合、ノズル３０はベローズ３５が有する可撓性によって伸張位置に保持され、この位置ではノズル３０Ａの下端がベース３４から離間して両者の間に収縮可能な分岐吸引路５０Ｂを形成し、この分岐路がノズルの貫通孔３１Ａを外気に連通させる。
【００２１】
美顔処理を行う場合、図６ｂに示すように、アッタチメント４０Ｂを肌Ｓに押し付ける結果、ノズル３０Ａが後退位置に移動させられ、ノズル３０Ｂの下端がベース３４に当接して分岐吸引路５０Ｂを閉じ、吸引力を肌にのみ作用させて肌から汚れを取り除く。使用者が美顔処理を停止したい場合は、ハウジング１０Ｂを肌Ｓから遠ざけるように引くだけでよく、これによってノズル３０Ｂが図６ａに示す伸張位置となる。これによって、分岐吸引路５０Ｂが再び形成されて肌にこれまで作用していた負圧を解放し、アタッチメント４０Ｂを簡単に肌から離すことができる。また、ノズル３０Ｂとベース３４との距離を変化させる、すなわち、分岐吸引路５０Ｂの流れ抵抗を変えることで、肌への吸引力を調節することもできる。このことは、顔肌に向けてのハウジングの押し当て加減を調整することで達成できる。ノズル３０Ｂとハウジング１０Ｂとを軸方向に整列させるために、ベース３４に設けたガイド突起３６をノズル３０Ｂの下端に設けた溝３７へスライド自在に嵌合させている。ベース３４にはポンプ２０Ｂの吸入口２６Ｂをノズル３０Ｂの貫通孔３１Ｂに連通させる穴３８が設けられている。
【００２２】
第４の実施態様＜図７〜１２＞
図７、８には、本発明の第４の実施態様に係る美顔器を示す。この美顔器は第1の実施態様と同様で同一のアッタチメント４０Ｃを使用する。同様の部材は同様の番号に「Ｃ」を付して示す。この美顔器は、使用者によって把持されるように形成された長尺のハウジング１０Ｃを有し、ハウジングにダイアフラムポンプ２０Ｃ、モータ１４Ｃ、電池１６Ｃを内蔵する。ハウジング１０Ｃの上端に形成した凹所１２Ｃの底面からアタッチメント４０Ｃを着脱自在とするノズル３０Ｃが突出する。ノズル３０Ｃは貫通孔３１Ｃを有する筒状で、ポンプ２０Ｃの近傍でハウジング１０Ｃに固定される。
【００２３】
ダイアフラムポンプ２０Ｃはポンプケース２１Ｃとダイアフラム２３Ｃとを有し、両者の間にポンプ室２４Ｃを形成する。ダイアフラム２３Ｃは外部往復子２２Ｃを備え、この往復子が偏心カム２５Ｃを介してモータ１４Ｃの出力軸１５Ｃに結合され、出力軸の回転運動がダイアフラム２３Ｃの往復運動に変換されて、逆止弁２７を有する吸入口２６Ｃから外気を導入しては逆止弁２９を備えた排気口２８Ｃから排出する。吸入口２６Ｃはノズル３０Ｃの貫通孔３１Ｃに連通して吸引力をアタッチメント４０Ｃを介して顔肌に作用させる。ハウジング１０Ｃ外面のスイッチハンドル１８Ｃは、モータのオンオフのために電池１６Ｃとモータ１４Ｃとを接続するスイッチ１７Ｃに連動する。
【００２４】
図９〜１１に示すように、ノズル３０Ｃの根元部分から外気開放端５１Ｃに至る分岐吸引路５０Ｃが、ノズル３０Ｃとアッタチメント４０Ｃを通る主吸引路と並列に延出する。この分岐吸引路５０Ｃはノズル３０Ｃのベース３４Ｃを通る半径方向路５５とここから外気開放端５１Ｃに延出する可撓性の管５６とで構成される。管５６はノズル３０Ｃのベース３４Ｃの一側面から延出してスイッチハンドル１８Ｃの上方部分までに引き回され、ここで水平方向に曲げられてモータケース１３に接触する形で延出して適宜の取り付け具でモーターケースに支持される。管５６の水平部分に対向する部分のハウジング１０Ｃに棒状のアクチュエータ６０が配置される。図７及び図１１ａ〜１１ｃに示されるように、アクチュエータ６０の両端にはボタン部６１が設けられると共にその間に凹所６２が形成され、一対の突起６３がアクチュエータの裏面に突出する。アクチュエータ６０は、中央の凹所６２をハウジング１０Ｃの支点部６４に係合させてハウジングにスウィング自在に支持されて、突起６３を管５６に接触させた状態で支点部の周りでスウィングする。
【００２５】
図１１ａは中立位置を示し、ここでは管５６の弾性力によってアクチュエータ６０が真っ直ぐに維持されて、管５６を変形させるすなわち押しつぶす力を実質的に与えることがなくて、管５６を開いた状態に維持する。この状態では、負圧、すなわち、ポンプにて発生する吸引力が分岐吸引路５０Ｃを通して解放されて、アッタッチメントを通じて顔肌へ吸引力を作用させることが無い。ボタン部６１のいずれかが押し込まれると、アクチュエータ６０が管５６の弾性に抗して図１１ｂや図１１ｃの位置に向けてスウィングする。この位置では、突起６３の一方が対応する管の一部を完全に押し潰して分岐吸引路５０Ｃを閉じる。このようにして、ポンプでの吸引力が全てアッタッチメントを介して顔肌に作用して美顔処理を行うことができる。これに関連して、図１２ａ〜１２ｃに示すように、管の外気開放端を通して逃す負圧の度合いは、ボタン部を押す力、すなわち突起６３から管５６への力を加減することによって調節できる。従って、美顔処理中に、肌への吸引力を簡単に調整できて最適な性能を得ることができる。いずれにしろ、肌に作用する吸引力を調節したり無くしたりすることは、ハウジングを掴む手の指を単に押したり離したりすることで簡単に行うことができるものである。更に、図７に示すように、ボタン部６１はハウジング１０Ｃの長手方向軸に対して両側に設けられているため、左利きや右利きの使用者のどちらでも吸引力の調整のためにボタン部の一つを容易に利用できる。
【００２６】
第５の実施態様＜図１３〜１９＞
図１３と図１４は、本発明の第4の実施態様に係る美顔器を示すもので、吸引力による美顔処理の間またはこれと独立して使用者の顔肌にミスト流を付与する加湿器７０が加えられている。他の構成及び作用は第3の実施態様と同様である。同様の部材は同様の番号に「Ｄ」を付して示す。
【００２７】
加湿器７０はアッタチメント４０Ｄを用いて美顔処理を行うための吸引力を発生するために使用するダイアフラムポンプ２０Ｄからの排気を有効利用するものである。先ず、加湿器に排気を供給するための機能が追加されたポンプの構造について説明する。ポンプ２０Ｄは、ポンプケース２１Ｄとダイアフラム２３Ｄとを有し、両者の間にポンプ室２４Ｄを形成する。ダイアフラム２３Ｄは往復子２２Ｄを支持し、往復子は偏心カム２５Ｄを介してモータ１４Ｄの出力軸１５Ｄに結合され、出力軸の回転運動がダイアフラム２３Ｄの往復運動に変換されて、逆止弁２７Ｄを有する吸入口２６Ｄから外気を導入しては逆止弁２９Ｄを備えた排気口２８Ｄから排出する。ポンプケース２１Ｄは吸引ノズル３０Ｄのベース３４Ｄと共にハウジング１０Ｄに固定される。吸引ノズル３０Ｄはベース３４Ｄと一体に形成され、ポンプの吸入口２６Ｄに連通する貫通孔３１Ｄを有する。
【００２８】
ポンプケース２１Ｄとベース３４Ｄとの間には、排気口２８Ｄから外排気口８１に至る排気路８０が形成され、外排気口８１は外気に開口して、押しボタンスイッチ８２によって開閉自在となる。スイッチ８２はスイッチハンドル１８Ｄの上方に配置され、外排気口８１を開く通常位置にばね８３によって付勢されている。顔肌に吸引力を作用させる通常のポンプ動作では、図１８ａに示すように、外排気口８１が開かれていて、ポンプ室からの排気は排気口２８Ｄ、排気路８０、外排気口８１を通して排出される。外排気口８１と排気口２８Ｄとの間の排気路８０からは、分岐排気路８５が分岐して、図１８ｂに示すように、外排気口８１をスイッチ８２で閉じた時に、排気、すなわち、加圧空気を加湿器に供給してミスト流を発生させる。
【００２９】
加湿器７０は、吸引ノズル３０Ｄの上方でこれに平行に設けた噴霧ノズル７１と水タンク７４とを備え、水タンク７４には蓋７６を備えた後供給口から水が供給される。噴霧ノズル７１は狭窄部７２を有し、狭窄部は水タンク７４にホース８４を介して接続されて水の供給を受ける。図１４〜１７に示すように、分岐排気路８５は吸引ノズルのベース３４に形成した経路８５−１と、ベース３４Ｄから噴霧ノズル７１の後端に延出するフレキシブルなホース８５−２とで構成されて、外排気口８１をスイッチ８２で閉じた時に、噴霧のズルに排気を供給する。このようにして噴霧ノズル７１に導入された排気は狭窄部７２を通る空気ジェットを作り出し、水が狭窄部から空気ジェットに吸い上げられて噴霧ノズル７１の前端からのミスト流を発生させる。従って、使用者はこのミスト流を単独でまたは吸引力に基づく美顔処理と一緒に利用できる。
【００３０】
この実施態様においては、肌に作用する吸引力は、前述の実施例と幾分異なる調節器を用いて調節される。図１９ａと１９ｂに示すように、この調節器はポンプ室２４Ｄと連通する副室９０と、副室９０の容積を変化させるアクチュエータ９４とで構成される。副室９０は、図１６、１７に示すように、ポンプケース２１Ｄの側面から延出してポンプケース２１Ｄの直下に至る可撓性の管９１で形成される。アクチュエータ９４はレバースイッチとして設けられて、図１６に示すように、その一端をハウジング１０Ｄに枢支して、他端を可撓性管９１の一部に係合させる。アクチュエータ９４はハウジングの頭部の一側面で、ハウジングを把持する使用者の指が届く範囲に、配置される。外力を加えない状態では、アクチュエータ９４は管９１を変形乃至押しつぶすような実質的な力を加えることがない通常の位置に保たれる。アクチュエータ９４を次第に押し込めば、管９１がそれに伴って変形して副室９０の容積、すなわち、ポンプ動作に有効なポンプ室の全容積を減少させ、これによってポンプにて発生して肌に作用する吸引力を調節する。これにより、最適で安全な美顔処理を行うことができる。
【００３１】
【発明の効果】
以上のように、本発明の美顔器では、肌に作用する吸引力を調節できて、アッタッチメントを肌から容易に離すことができて、痛みや紫斑を防いだ安全な使用が行える。
【図面の簡単な説明】
【図１】本発明の第１の実施態様に係る美顔器を示す縦断面図。
【図２】同上の美顔器の正面図。
【図３】同上の美顔器の動作説明図。
【図４】第１の実施態様の変更例に係る美顔器の縦断面図。
【図５】（ａ）と（ｂ）は本発明の第２の実施態様に係る美顔器の主要部を示す縦断面図。
【図６】（ａ）と（ｂ）は本発明の第３の実施態様に係る美顔器の縦断面図。
【図７】本発明の第４の実施態様に係る美顔器の正面図。
【図８】同上の美顔器の縦断面図。
【図９】同上の美顔器の頭部の内部構造を示す正面図。
【図１０】同上の頭部の断面図。
【図１１】（ａ）と（ｂ）と（ｃ）は吸引力の調節動作を示す断面図。
【図１２】（ａ）と（ｂ）と（ｃ）は吸引力を変化させる動作を説明する概略図。
【図１３】本発明の第５の実施態様に係る美顔器の正面図。
【図１４】同上の美顔器の主要部を示す縦断面図。
【図１５】同上の美顔器の主要部を示す平断面図。
【図１６】同上の美顔器の頭部内部構造を示す正面図。
【図１７】同上の美顔器の主要部を示す斜視図。
【図１８】（ａ）と（ｂ）は同上の美顔器でのミスト発生を説明する概略図。
【図１９】（ａ）と（ｂ）は同上の美顔器のポンプ動作を示す概略図。
【符号の説明】
１０  ハウジング
１４  モータ
１８  スイッチハンドル
１９  シャッター部
２０  ダイアフラムポンプ
２４  ポンプ室
２６  吸入口
２８  排気口
３０  ノズル
４０  アタッチメント
５０  分岐吸引路
５１  外気開放端
５５  経路
５６  管
６０  アクチュエータ
６１  ボタン部
７０  加湿器
７１  噴霧ノズル
７２  狭窄部
７４  水タンク
８０  排気路
８１  外排気口
８２  押しボタンスイッチ
８５  分岐排気路
９０  副室
９４  可撓性チューブ
９４  アクチュエータ
【図１】
0003870629.tif 000002
【図２】
0003870629.tif 000003
【図３】
0003870629.tif 000004
【図４】
0003870629.tif 000005
【図５】
0003870629.tif 000006
【図６】
0003870629.tif 000007
【図７】
0003870629.tif 000008
【図８】
0003870629.tif 000009
【図９】
0003870629.tif 000010
【図１０】
0003870629.tif 000011
【図１１】
0003870629.tif 000012
【図１２】
0003870629.tif 000013
【図１３】
0003870629.tif 000014
【図１４】
0003870629.tif 000015
【図１５】
0003870629.tif 000016
【図１６】
0003870629.tif 000017
【図１７】
0003870629.tif 000018
【図１８】
0003870629.tif 000019
【図１９】
0003870629.tif 000020